(57)【要約】【課題】  身体部分を囲むバンドを提供する。【解決手段】  バンドは、バンドの取り外し可能な細片を含む単一の弱体化領域を有した、実質的に非伸縮性材料のストリップを備える。実質的に非伸縮性材料のストリップは２つの端部を有し、それらの２つの端部は、共に確実に取り付けるために関連付けられた一つ又は複数のクロージャ機構を具備している。取り外し可能な細片は、約２〜約１５ミリメートルの隙間によって分離された弱部の一対の線によって少なくとも部分的に画定される。そのようなバンドを使用する方法は、身体部分を囲む工程、端部を確実に取り付ける工程、バンドの第１の側縁の取り外し可能な細片を掴んで取り外し可能な細片を引っ張り、弱部の線に沿ってバンドを破断させて取り外し可能な細片をバンドから分離する工程、及びバンドを取り外す工程を有する。【選択図】  図１
2015093194.tif 000002
【特許請求の範囲】
【請求項１】
身体部分を囲むバンドであって、
ａ）実質的に非伸縮性の材料のストリップであって、幅より実質的に大きい長さと２つの端部とを有し、前記２つの端部が、前記身体部分の周りで前記２つの端部を互いに確実に取り付けるために前記２つの端部と関連付けられた一つ又は複数の閉鎖機構を有し、前記ストリップが厚みと第１及び第２の側縁とを有している、ストリップと、
ｂ）前記バンドの取り外し可能な細片を含み、前記バンドを横切るように配向される単一の弱体化領域と、を備え、前記取り外し可能な細片が、約２〜約１５ミリメートルの間隙により隔てられている一組の弱部の線によって少なくとも部分的に定められている、バンド。
【請求項２】
前記一組の弱部の線が、約２〜約６ミリメートルの間隙により隔てられている、請求項１に記載のバンド。
【請求項３】
前記一組の弱部の線が、前記第１の側縁から前記第２の側縁に向かって延びる、請求項１に記載のバンド。
【請求項４】
前記一組の弱部の線が、前記物品の幅の実質的に全体に及ぶ、請求項１に記載のバンド。
【請求項５】
前記弱部の線スパンのうちの少なくとも１つが穿孔を含む、請求項１に記載のバンド。
【請求項６】
前記弱部の線スパンのうちの少なくとも１つが支持体層の厚みの減少を備える、請求項１に記載のバンド。
【請求項７】
前記弱部の線のうちの少なくとも１つが前記第１の側縁に近接するスリットを含む、請求項１に記載のバンド。
【請求項８】
前記スリットが前記第１の側縁に対し実質的に垂直に配向される、請求項７に記載の物品。
【請求項９】
前記取り外し可能な細片が前記バンドに対して実質的に垂直に配向される、請求項１に記載のバンド。
【請求項１０】
前記弱部の線が実質的に平行である、請求項９に記載のバンド。
【請求項１１】
請求項１に記載のバンドの使用方法であって、
ａ）前記バンドで身体部分を囲む工程と、
ｂ）損傷させないやり方で前記バンドの取り外しに抵抗するように、前記２つの端部を互いに確実に取り付けて前記身体部分を囲む工程と、
ｃ）前記バンドの前記第１の側縁の前記取り外し可能な細片を掴み、前記取り外し可能な細片を引っ張り、前記弱部の線に沿って前記バンドを破断させて前記取り外し可能な細片を前記バンドから分離する工程と、
ｃ）前記身体部分の周りから前記バンドを取り外す工程と、を含む、方法。
【請求項１２】
前記身体部分が人間の足首又は手首である、請求項１１に記載の方法。
【発明の詳細な説明】
【技術分野】
【０００１】
本発明は、識別用及びセキュリティ用バンドといった、それらが取り付けられる外肢の周りから容易に取り外すことができるバンドに関する。より詳しく、本発明は、病院での識別用バンド及びセキュリティ用バンドといった、識別用バンドに関する。
【背景技術】
【０００２】
識別用及びセキュリティ用のバンドは、手首や足首といった人間の身体部位、あるいは獣医学の診療といったときに他の動物の身体部分を取り囲むバンドである。それらは、目的に応じて様々な材料から形成される。２つの一般的なバンドは、病院用バンド及びイベント用／セキュリティ用のバンドである。病院用バンドは、医療を受ける患者を識別するために一般的に使用される安全装置である。イベント用／セキュリティ用バンドは、多くの場合、音楽祭、遊園地及びプールといったイベントにおいてイベントの参加者に供与され、アクセスを制御する措置として機能する。
【０００３】
従来、リストバンドは、バンドの両端を合わせて留めることによって手首又は足首の周りに配置されて環状に巻き付けられる。端部を留めるために様々な閉じ具が利用されている。大きく見ると、これらの閉じ具は機械式のものあるいは接着式のものとして説明することができる。
【０００４】
ほとんどのバンドは、病院での短い滞在、又はコンサートあるいは公園における一日といった、短い期間のためにだけ必要とされる。リストバンドは、一旦その目的を満たすと、通常は、装着している者によって取り外される。クロージャの方法が機械式であるか接着式であるかどうかに関わらず、リストバンドは、それを破損させずに取り外すのが困難あるいは不可能であるように構成される。機械的な閉じ具を利用するリストバンドにおいては、多くの場合、機械的な締結具を破壊するための専用工具を必要とする。
【０００５】
一つの実例において、ニューマン他の米国特許第６，３４９，４９３号は、娯楽用の乗り物あるいは展示物を備えている遊園地における使用のために特に構成されたリストバンドを開示しようとしている。このリストバンドは、引き裂きに対しては抵抗するが、遊園地の環境において着用者の安全を危うくすることになる力が負荷されたときには完全に裂ける、防水紙のストリップを含んでいる。
【０００６】
クロージャの方法が接着式のときに、ユーザは多くの場合に鋭い物体、例えばバンドを切断するナイフあるいはハサミを使用してリストバンドを取り外す。このプロセスは、鋭い物体がユーザの皮膚に接触するとユーザを傷つけるリスクがある。
【発明の概要】
【発明が解決しようとする課題】
【０００７】
要約すると、一時的に使用するバンドは、識別のためにあるいはアクセスを制御する手段として使用される。使用後のバンドの取り外しは、多くの場合、専用工具あるいはユーザを傷付けるリスクを必要とする。必要とされているものは、容易に、かつ破壊的に取り外す構成のリストバンドである。
【課題を解決するための手段】
【０００８】
驚くべきことに、一時的に使用するリストバンドの取り外しの容易さを改善する新規な方法を我々は見いだした。本発明の一態様において、身体部分を囲むバンドは、幅より実質的に大きい長さと、バンドを横切るように向きが定められてバンドを取り外し可能な細片を含む単一の弱体化領域とを有する、実質的に非伸縮性材料のストリップを備える。この実質的に非伸縮性材料のストリップは、幅よりも実質的に大きい長さと２つの端部とを有し、身体部分の周りに２つの端部を共に確実に取り付けるために関連付けられた一つ又は複数のクロージャ機構を具備している。そのバンドはまた、第１及び第２の側縁を有している。取り外し可能な細片は、約２から約１５ミリメートルの隙間で離れている一組の弱部の線によって少なくとも部分的に画定される。
【０００９】
本発明の別の態様において、そのようなバンドを使用する方法は、身体部分をバンドで囲む工程、損傷を受けないやり方でのバンドの取り外しを阻止するように身体部分を囲むべく２つの端部を互いに確実に取り付ける工程、及び使用後に、バンドの第１の側縁の取り外し可能な細片を掴み、その取り外し可能な細片を引っ張り弱部の線に沿ってバンドを破断させて取り外し可能な細片を切り離し、かつ身体部分の周りからバンドを取り外す工程、を含む。
【図面の簡単な説明】
【００１０】
ここで添付の図面を参照しつつ、単なる例示として、本発明の実施形態をより詳細に説明する。
【図１】本発明の一実施形態のバンドの斜視図である。
【図２】図１のバンドの平面図である。
【図２ａ】図１のバンドの拡大部分である。
【図３】本発明の細長い接着式の物品の第２実施形態の平面図である。
【図３ａ】図３のバンドの拡大部分である。
【図４】本発明の一態様によるリストバンドの一実施形態の取り外しを示している。
【図５】本発明の一態様によるリストバンドの一実施形態の取り外しを示している。
【図６】本発明の一態様によるリストバンドの一実施形態の取り外しを示している。
【発明を実施するための形態】
【００１１】
また、人間や他の動物の身体部分の周囲に確実に取り付けられるリストバンド（又はブレスレット）及びアンクレットを含むバンドは、多くの場合、特にそれらが手首及び足首の周りに取り付けられたときに取り外しが困難である。そこで、我々は、過剰な痛みを生じさせることなしに身体部分の周りから容易に取り外すことができる新規なバンドをもたらした。
【００１２】
本明細書及び請求の範囲において使用する「バンド」という用語及びその変形は、物体を囲むために使用される柔軟な材料の薄いストリップに関連している。一般的に、バンドは、（例えば、病院における患者の個人情報の）識別のために、又は（例えば、遊園地における）入場許可を示すために使用される。
【００１３】
本明細書及び請求の範囲に使用する、「非伸縮性」という用語及びその変形は、通常の使用において及び予想される濫用状態においてさえも伸縮の度合いが小さい材料に関連する。特に、非伸縮性とは、手首といった身体部分の周りにぴったりとフィットする固定されたバンドに成形でき、そのバンドの破壊及び／又は明らかな損傷なしにそのバンドを取り外すために関連付けられた手の上で引っ張られても十分に伸びることができない材料のストリップに関する。
【００１４】
図１及び２は、本発明のバンドの第１及び第２の実施形態を示している。バンド１０は、手首あるいは足首といった身体部分の周りに固定することができ、かつバンドを破断させることよって容易に取り外すことができる柔軟な材料のストリップ１２を含んでいる。このストリップ１２は、幅よりも実質的に大きい長さ、第１の側縁１４ａ、第２の側縁１４ｂ、実質的に永続的な接続のために配置されかつ構成された第１及び第２の端部１６ａ、１６ｂを有している。バンド１０は、物品の全長に対して略直交に配向する取り外し可能なバンド材料製のストリップ２０を含む、単一の弱体化領域１８を有している。この取り外し可能な細片２０は、第１の側縁１４ａから出発してバンドの幅を横切るように配置された弱部の一組の線２２によって、少なくとも部分的に画定される。それが取り付けられている要素からのバンド１０の取り外しを助けるために、ユーザは、それらの長さ（バンドの幅方向を横切る、「ｙ軸」）に沿って、第１の側縁１４ａから始まる弱部の線２２を破断させ、弱部の線２２の間の領域内のストリップ２０を取り除く。次にユーザは、その身体部分の周りからバンドの残部を取り外すことができる。
【００１５】
バンド１０は、単純なストリップに対し、幅を拡げ及び／又は狭めた領域や、バンドから略垂直に延びるタブ等を含む様々な修正を含めることができるが、それらには限定されない。一般的に、バンド材料の厚みは、所望の撓み特性を達成するために約０．０２〜約０．２ミリメートルである。
【００１６】
また、好適なバンド材料は薄くかつきわめて柔軟であり、かつ実質的に非伸縮性である。これにより、このバンドはその製品を装着している部分の自由な動きを可能にするが、バンドの明らかな破損なしには取り外すことができない。バンドは、透明あるいは不透明とすることができ、かつ織布あるいは不織布、ポリマーフイルムあるいは補強された紙を含むことができる。バンドは単一層の材料から形成することができるし、あるいは積層体又は他の組み合わせの材料とすることもできる。バンドの形成に有用なポリマー材料は当業者に公知である。それらにはポリエステル、ポリスチレン、ポリエチレンといったポリオレフィン、ポリウレタン、ポリ塩化ビニルが含まれる。現在使用されている実質的に非伸縮性の商品には、ＴＹＶＥＫ（登録商標）ブランドの紙材料から製造された紙バンド及びビニルバンドが含まれる。
【００１７】
一つの好ましい実施形態において、バンド１０は、細長い物品の幅を実質的に横切るように配向する縦糸あるいは横糸を具備する織布のストリップを備える。これにより、バンドを横切って伝播する引き裂きは、取り外し可能な細片２０の除去によってその物品が切り離されるまで継続する傾向を有する。他の実施形態では、バンドは配向性ポリマー製のストリップを備え、バンドを横切って伝播する引き裂きは、取り外し可能な細片２０の除去によって製品が再び切り離されるまで続く傾向を有する。
【００１８】
また、バンド１０を形成しているストリップ１２の長さは、実質的に幅より大きい。好ましくは、バンドの幅は少なくとも約１０ミリメートル、より好ましくは少なくとも約１５ミリメートル、あるいは少なくとも約２０ミリメートルである。好ましい実施形態において、バンドの幅は約１００ミリメートル未満、より好ましくは約７０ミリメートル未満、最も好ましくは約４０ミリメートル未満である。これにより、バンドの幅は約１０ミリメートルから１００ミリメートル、好ましくは約１５ミリメートルから７０ミリメートル、より好ましくは約２０ミリメートルから４０ミリメートルとすることができる。一実施形態において、バンドの幅は約２５ミリメートルである。
【００１９】
バンド１０は、第１の側縁１４ａに近接して始まるとともにバンドをほぼ横切るように配置される弱部の２本の線２２によって少なくとも部分的に画定される単一の弱体化領域１８を有している。結果として得られる取り外し可能な細片２０の（弱部の２本の線２２の間の最大距離によって定まる）幅は、約２ミリメートルから１５ミリメートル、好ましくは約２ミリメートルから１０ミリメートル、より好ましくは約２ミリメートルから６ミリメートル、最も好ましくは約４ミリメートルである。
【００２０】
弱部２２の線は、スコーリング、支持体層の厚みを最初の厚みから薄層化すること、ミシン目、又は当業者に公知の他の弱部を形成する方法によって画定することができる。いくつかの実施形態では、弱部の２本の線２２のうちの少なくとも１つをスコーリングとするが、弱部の他の線２２は（図２ａの拡大図に示すように）完全に穿孔された複数の不連続な弱部要素２４を含む。
【００２１】
好ましくは、弱部の線２２は実質的に平行である。しかしながら、それらが取り外し可能な細片２０をもたらす限り、収束しあるいは発散する線も許容できる。
【００２２】
弱部要素２４は、円形、楕円形、直線、矢印あるいはＶ字形、Ｙ字形、Ｓ字形、逆Ｖ字形、部分的な逆Ｖ字形及びドットパターンを含む任意の形状とすることができる。いくつかの実施形態では、単純な線形パターンの線形カットが使用され、バンド１０を横切って横方向に延びる単一の破断線を作り出すべくそれらのカットは位置合わせされる。
【００２３】
いくつかの実施形態では、弱部要素の長さは等しい。弱部要素の長さは、約０．１ミリメートルから約５ミリメートル、あるいは約０．２５ミリメートルから約３ミリメートル、更には約０．５ミリメートルから約１ミリメートルに及ぶものとすることができる。弱部要素の間の隙間は均一としあるいは変化させることができる。弱部要素の間の隙間は、約０．１ミリメートルから約５ミリメートル、好ましくは約０．２５ミリメートルから約３ミリメートル、最も好ましくは約０．５ミリメートルから約１ミリメートルに及ぶ。
【００２４】
弱部要素２４の寸法及びそれらの間の距離は、取り外し可能な細片２０を引き裂いて取り除くために必要な力の決定を助ける。
【００２５】
図１に示すように、弱部の線２２は、第１の側縁１４ａから出発し、概ねｙ軸に沿って配置され、第１の側縁１４ａと第２の側縁１４ｂの間で終端している。図に示すように、弱部の線２２は、支持体層の幅の概ね半分（５０％）に及ぶ。ここで理解されるべきことは、様々な実施形態においては弱部の線２２が、バンドの幅の実質的に全体に、あるいはバンドの幅よりいくらか少な目に及び得ることである。一つの好ましい実施形態では、弱部の線は幅の約７５％に及ぶ。他の実施形態では、弱部の線はバンドの幅の約３３％あるいは２５％に及ぶ。
【００２６】
図１はまた、第１の側縁１４ａから始まる弱部の線２２を示している。ここで理解されるべきことは、他の実施形態においては、弱部の線２２が第１の側縁１４ａと第２の側縁１４ｂの間の途中の地点から出発し得ることである。例えば、取り外し可能な細片の望ましくない早すぎる除去を防止するために、弱部の線は、バンド幅の約１％から約５％といった、側縁からわずかな間隔を開けて配置することができる。他の実施形態では、弱部の線は、側縁から大きな距離、おそらくはバンド幅の１０％〜２０％と同程度に間隔を開けて配置することができる。
【００２７】
図３は、本発明のバンドの第２実施形態を図示している。バンド２０’もまた柔軟な材料のストリップ１２’を備えている。ストリップ１２’は、幅より実質的に大きい長さ、第１の側縁１４ａ、第２の側縁１４ｂ、実質的に永続的な接続のために配置されかつ構成された第１及び第２の端部１６ａ、１６ｂを有している。バンド１０’は、その物品の全長に対して略直交に配向するバンド材料製の取り外し可能な細片２０を含む単一の弱体化領域１８’を備えている。取り外し可能な細片は、弱部要素２４と、第１の側縁１４ａ及び第２の側縁１４ｂから出発する二組のスリット２６とを含む弱部の一組の線２２によって、少なくとも部分的に画定される。この実施形態において、弱部要素２４及びスリット２６は、バンド１０を横切る明確に画定された取り外し可能な細片２０に帰着している。
【００２８】
バンド１０’を取り外すために、ユーザは、１組のスリット２６の間で始まる取り外し可能な細片２０の縁を例えば指の爪を用いて持ち上げることになる。このように、一組のスリット２６は「つまみ端」あるいは「出発点」として作用する。それからユーザは、一つの側縁、例えば第１の側縁１４ａから始まる弱部の線２２をバンド１０を横切るように破断させて、取り外し可能な細片２０を取り除く。次にバンドの残り部分は、取り外し可能な細片２０によって分離しない場合、身体部分の周りから取り外すことができる。
【００２９】
図３に示すように、弱部の線２２は第２の側縁１４ｂに近接して終端する。ここで理解されるべきことは、図１及び図２の実施形態のように、弱部の線２２がバンドの幅の全体あるいは一部に及ぶことができることである。
【００３０】
図３及び図３ａの詳細図に示すように、取り外し可能な細片２０の「つまみ端」を画定するスリット２６は、両方の側縁１４ａ、１４ｂから出発している。ここで理解されるべきことは、他の実施形態においては、スリット２６が一方の側縁、例えばバンド１０の第１の側縁１４ａだけから出発し得ることである。
【００３１】
スリット２６は、円形、楕円形、矢印、Ｖ字形、Ｙ字形、Ｓ字形、逆Ｖ字形あるいは部分的な逆Ｖ字形を含む任意の形状とすることができる。いくつかの実施形態では、単純な線形パターンのスリットが使用され、バンド１０を横切って横方向に延びる単一の破断線を作り出すために、それらのスリットは位置合わせされる。
【００３２】
スリット２６は、支持材料の側縁１４ａに対して垂直とすることができ、あるいはそれらを９０度以外のある角度に配置することもできる。しかしながら、そのような角度が付けられたスリットに関連付けられる弱部の線２２は、好ましくは実質的に垂直である。
【００３３】
いくつかの実施形態では、スリット２６の長さは等しい。スリットの長さは約０．１ミリメートルから約５ミリメートル、好ましくは約０．２５ミリメートルから約３ミリメートルに及ぶことができる。スリットの長さを最小限に抑えて取り外し可能な細片の早まった除去の可能性を低減することが望ましい場合、スリットを約０．５ミリメートルから約１ミリメートルの長さに制限することを望むことができる。
【００３４】
図４〜図６は、図１及び図２のバンドの実施形態の使用を表している。ユーザは、非伸縮性材料のストリップ１２によって身体部分、例えば人間の手首１００を囲み、２つの端部１６ａ、１６ｂを互いに確実に取り付ける。このことは、それにもかかわらず十分に寸法的に安定で、バンド１０の損傷無しでの手首からの取り外しを実質的に妨げる柔軟なバンド１０を形成する。これにより、１人の個人からバンドを取り外してそれを他人と共有することは困難である。使用後、ユーザは、バンド１０の第１の側縁１４ａにある取り外し可能な細片２０を掴み、取り外し可能な細片２０を引張つて弱部の線２２に沿ってバンド１０を破断させ、取り外し可能な細片２０をバンド１０から切り離すことができる。弱部の線２２がバンド１０を完全に横切って延びていない場合、弱部の線２２に沿った引き裂きの伝播が継続してバンド１０を完全に横切るように促すべく、バンドを形成する材料を選択することになる。取り外し可能な細片２０を取り除くことは、手首（又は他の部分）の周りからのバンド１０の取り外しに直接的に帰着する。例えば、取り外し可能な細片２０の小さな部分が、バンド１０の残りの部分の片側のみの上に付着したままとなって、身体部分の周りから取り外し可能なバンドを引っ張ることもあり得る。さもなければ、細片２０の除去は手首の周りのバンド１０の隙間に帰着し、そこからの取り外しを可能にする。
【００３５】
上述したバンドを製造するプロセスは、識別用及び／又はセキュリティ用のバンドを製造するために従来公知な製造プロセスのうちの任意のものとすることができる。非伸縮性材料のストリップは、使用の際にストリップの端部を身体部分の周りに確実に留めることができる接着剤を有した積層体として形成することができる。代わりに、非伸縮性材料のストリップは、そのストリップの端部に形成されたあるいはそれに取り付けられたクロージャ要素を有することができる。従って、非伸縮性材料のストリップは、使用前の個々のバンドを形成するストリップのためにロールの形態で供給することができる。あるいは、非伸縮性材料のストリップは、分離したバンド形成用ストリップとして供給することができる。
【００３６】
上述した弱部の線は、様々な製造プロセスによって形成することができる。いくつかの実施形態では、材料にミシン目を入れるために機械的なパンチを使用することができる。従来技術において公知の加熱ピン穿孔もまた製造プロセスに使用することができる。また、ハーフカット及び型抜きもまた、ミシン目を入れ、スリットを作り及び／又はスコーリングするために使用できる公知のプロセスである。
【００３７】
超音波穿孔もまた従来技術において使用されている。超音波システムは、超音波装置とピンロールとの間のウェブ経路空間の固定隙間を有してピンロールに隣接する超音波装置を使用する。一実施形態において、この超音波システムは、ウェブに張力を与えるニップロール、硬化された及び／又は硬化されていない鋼材と耐摩耗性のコーティングから成るピンロール、及び強制空気の流れによって冷却される超音波ホーン、を備える。超音波ホーン及びピンロールは、好ましくは、２つの間に隙間がないように、かつピンロールの較正あるいは極めて正確な機械加工を必要としないように配置される。本発明の方法は、張力をかけてウェブを保持すること、ピンロールに直ぐ隣接する超音波装置でウェブに穿孔すること、空気の強制流れにより超音波装置を冷やすことを含む。本発明の方法は、張力をかけてウェブを保持すること、ピンロールに直ぐ隣接する超音波装置でウェブに穿孔すること、空気の強制流れにより超音波装置を冷やすことを含む。
【００３８】
本発明の様々な実施形態を上記に記載したが、本発明の範囲又は趣旨から逸脱することなく、本発明に様々な修正及び変更を加えることができることが当業者には明らかである。したがって、本発明は、添付の特許請求の範囲及びそれらの同等物の範囲内であるとして、そのような修正及び変更を包含することが意図される。
【００３９】
〔実施の態様〕
（１）  身体部分を囲むバンドであって、
ａ）実質的に非伸縮性の材料のストリップであって、幅より実質的に大きい長さと２つの端部とを有し、前記２つの端部が、前記身体部分の周りで前記２つの端部を互いに確実に取り付けるために前記２つの端部と関連付けられた一つ又は複数の閉鎖機構を有し、前記ストリップが厚みと第１及び第２の側縁とを有している、ストリップと、
ｂ）前記バンドの取り外し可能な細片を含み、前記バンドを横切るように配向される単一の弱体化領域と、を備え、前記取り外し可能な細片が、約２〜約１５ミリメートルの間隙により隔てられている一組の弱部の線（lines of weakness）によって少なくとも部分的に定められている、バンド。
（２）  前記一組の弱部の線が、約２〜約６ミリメートルの間隙により隔てられている、実施態様１に記載のバンド。
（３）  前記一組の弱部の線が、前記第１の側縁から前記第２の側縁に向かって延びる、実施態様１に記載のバンド。
（４）  前記一組の弱部の線が、前記物品の幅の実質的に全体に及ぶ、実施態様１に記載のバンド。
（５）  前記弱部の線スパンのうちの少なくとも１つ（at least one of the lines of weakness span）が穿孔を含む、実施態様１に記載のバンド。
【００４０】
（６）  前記弱部の線スパンのうちの少なくとも１つが支持体層の厚みの減少を備える、実施態様１に記載のバンド。
（７）  前記弱部の線のうちの少なくとも１つが前記第１の側縁に近接するスリットを含む、実施態様１に記載のバンド。
（８）  前記スリットが前記第１の側縁に対し実質的に垂直に配向される、実施態様７に記載の物品。
（９）  前記取り外し可能な細片が前記バンドに対して実質的に垂直に配向される、実施態様１に記載のバンド。
（１０）  前記弱部の線が実質的に平行である、実施態様９に記載のバンド。
【００４１】
（１１）  実施態様１に記載のバンドの使用方法であって、
ａ）前記バンドで身体部分を囲む工程と、
ｂ）損傷させないやり方で前記バンドの取り外しに抵抗するように、前記２つの端部を互いに確実に取り付けて前記身体部分を囲む工程と、
ｃ）前記バンドの前記第１の側縁の前記取り外し可能な細片を掴み、前記取り外し可能な細片を引っ張り、前記弱部の線に沿って前記バンドを破断させて前記取り外し可能な細片を前記バンドから分離する工程と、
ｃ）前記身体部分の周りから前記バンドを取り外す工程と、を含む、方法。
（１２）  前記身体部分が人間の足首又は手首である、実施態様１１に記載の方法。
【図１】
2015093194.tif 000003
【図２】
2015093194.tif 000004
【図２ａ】
2015093194.tif 000005
【図３】
2015093194.tif 000006
【図３ａ】
2015093194.tif 000007
【図４】
2015093194.tif 000008
【図５】
2015093194.tif 000009
【図６】
2015093194.tif 000010
【外国語明細書】
2015093194000001.pdf